(57)【要約】【課題】レンズをレンズ枠に嵌め込むときにできる傷の範囲を小さくすることができるルーペを提供すること。【解決手段】レンズ３と、レンズ３を保持する環状のホルダ部５１を有するレンズ枠５とを備えたルーペにおいて、レンズ３の外周面３１に周方向に沿って３つの突起部３２，３３，３４を一定間隔に形成し、ホルダ部５１の内周面５３に周方向に沿って突起部３２，３３，３４と嵌合する３つの窪み５４，５５，５６を一定間隔に形成し、ホルダ部５１の両端面とホルダ部５１の内周面５３とのなす稜角を削って斜面５９を形成した。【選択図】　　　　図１
2004029371.tif 000002
【特許請求の範囲】
【請求項１】
レンズと、このレンズの外周面に接触し、前記レンズを保持する環状のホルダ部を有するレンズ枠とを備えたルーペにおいて、
前記ホルダ部の内周面に形成された窪みと、
前記レンズの外周面に周方向に沿って間隔をあけて形成され、前記窪みと嵌合する複数の突起部とを備え、
前記ホルダ部の内周面端面の少なくとも一方の稜角が削られていることを特徴とするルーペ。
【請求項２】
請求項１項記載のルーペの組立方法において、
前記ホルダ部を弾性変形可能な程度に加熱する加熱工程と、
加熱された前記ホルダ部の前記窪みに前記レンズの前記突起部を嵌め込むレンズ嵌込み工程と
を含むことを特徴とするルーペの製造方法。
【発明の詳細な説明】
【０００１】
【発明の属する技術分野】
この発明はルーペに関する。
【０００２】
【従来の技術】
従来のルーペはレンズとレンズ枠とを備える。レンズ枠はレンズを保持する環状のホルダ部を有する。ホルダ部の内周面には周方向に沿った溝が形成されている。この溝にレンズの外周縁を嵌め込むことにより、レンズはレンズ枠のホルダ部に保持される。
【０００３】
【発明が解決しようとする課題】
上述のように従来のルーペでは、レンズの外周縁をレンズ枠のホルダ部の溝に嵌め込む構造が採用されているので、レンズを溝に嵌め込むときに、ホルダ部の内周面の全周にわたって傷が付いた。ルーペの使用者はレンズを斜め方向から覗いたときホルダ部内周面の傷を容易に認識できるため、そのことがルーペの外観を損なわしめる要因になっていた。
【０００４】
この発明はこのような事情に鑑みてなされたもので、その課題はレンズをレンズ枠に嵌め込むときにできる傷の範囲を小さくすることができるルーペを提供することである。
【０００５】
【課題を解決するための手段】
前述の課題を解決するため請求項１の発明のルーペは、レンズと、このレンズの外周面に接触し、前記レンズを保持する環状のホルダ部を有するレンズ枠とを備えたルーペにおいて、前記ホルダ部の内周面に形成された窪みと、前記レンズの外周面に周方向に沿って間隔をあけて形成され、前記窪みと嵌合する複数の突起部とを備え、前記ホルダ部の内周面端面の少なくとも一方の稜角が削られていることを特徴とする。
【０００６】
請求項２の発明は、請求項１項記載のルーペの組立方法において、前記ホルダ部を弾性変形可能な程度に加熱する加熱工程と、加熱された前記ホルダ部の前記窪みに前記レンズの前記突起部を嵌め込むレンズ嵌込み工程とを含むことを特徴とする。
【０００７】
【発明の実施の形態】
以下、この発明の実施の形態を図面に基づいて説明する。
【０００８】
図１はこの発明の一実施形態に係るルーペの正面図、図２は図１の　ＩＩ−ＩＩ線に沿う断面図である。
【０００９】
このルーペはレンズ３とレンズ枠５と柄７とで構成されている。
【００１０】
レンズ３は例えばアクリル樹脂からなる凸レンズである。レンズ３の外周面３１には周方向へ一定間隔おきに３つの突起部３２，３３，３４が形成されている。
【００１１】
レンズ枠５はホルダ部５１と首部５２とを有する。
【００１２】
ホルダ部５１は環状であり、レンズ３を保持する。ホルダ部５１の内周面５３には周方向へ一定間隔おきに３つの窪み５４，５５，５６が形成されている。窪み５４，５５，５６の周方向の幅は突起部３２，３３，３４の周方向の幅よりも若干広い。突起部３２，３３，３４は窪み５４，５５，５６に嵌合する。
【００１３】
ホルダ部５１の両端面５７，５７とホルダ部５１の内周面５３とのなす稜角５８，５８が削られている。この結果、ホルダ部５１には斜面５９が形成されている。
【００１４】
首部５２はほぼ台形であり、ホルダ部５１の下部に一体に設けられている。
【００１５】
柄７は棒状であり、ポリカーボネイト樹脂で首部５２の下部に一体に設けられている。
【００１６】
次に、このルーペの組立方法について説明する。
【００１７】
このルーペの組立方法は加熱工程とレンズ嵌込み工程とを有する。
【００１８】
加熱工程では、ホルダ部５１の温度が７０〜８０℃になるように、ドライヤ（図示せず）の熱風でホルダ部５１を加熱する。
【００１９】
加熱工程が完了したら直ぐにレンズ嵌込み工程に移る。
【００２０】
レンズ嵌込み工程では、まず、レンズ３の突起部３２をレンズ枠５の窪み５４に入れる。
【００２１】
次に、レンズ３の厚み方向へレンズ３を押し込み、突起部３３，３４をレンズ枠５の窪み５５，５６にそれぞれ嵌め込む。
【００２２】
このとき、ホルダ部５１は加熱されて、弾性変形しやすくなっているので、突起部３３，３４は容易に斜面５９を乗り越え、窪み５５，５６に嵌合する。
【００２３】
このようにして、全ての突起部３２，３３，３４が窪み５４，５５，５６に嵌め込まれてレンズ３がレンズ枠５に保持される。
【００２４】
次に、この実施形態の効果について説明する。
【００２５】
この実施形態のルーペでは、レンズ３の外周面３１に突起部３２，３３，３４が間隔をあけて形成されているので、ホルダ部５１の傷付く範囲は突起部３３，３４がレンズ３の厚み方向へ摺動した領域だけであり、従来例に較べホルダ部５１の傷付く範囲を狭くすることができる。しかも、ホルダ部５１の両端面５７，５７とホルダ部５１の内周面５３とのなす稜角５８が削られているので、その分だけホルダ部５１の傷付く範囲を狭くすることができる。したがって、この実施形態のルーペによれば、ホルダ部５１にできる傷の範囲を極めて小さくすることができ、ルーペの外観が損われず、商品価値を高めることができる。
【００２６】
また、この実施形態のルーペの組立方法によれば、レンズ嵌込み工程の前に加熱工程が行われるので、レンズ３の突起部３３，３４をホルダ部５１の窪み５５，５６に嵌め込むときにホルダ部５１が十分に弾性変形し、ホルダ部５１の内周面５３が逃げやすくなっているため、ホルダ部５１にできる傷の範囲がより一層小さくなる。
【００２７】
なお、この実施形態ではレンズ３の外周面３１に３つの突起部３２，３３，３４を一定間隔に形成したが、突起部の数は２つでも或いは４つ以上でもよく、また突起部は必ずしも一定間隔に形成する必要はない。
【００２８】
また、この実施形態では、突起部３２，３３，３４に対応させてホルダ部５１の内周面５３に３つの窪み５４，５５，５６を形成したが、窪みは必ずしも突起部に対応させる必要はなく、ホルダ部５１の内周面５３の全周にわたって一つの窪みを形成するようにしてもよい。
【００２９】
また、この実施形態では２つの稜角５８，５８を削ったが、一方の稜角５８だけを削るようにしてもよい。
【００３０】
また、この実施形態ではレンズ枠５と柄７とを一体成形したが、別々に成形しても良い。
【００３１】
また、レンズ３の材質としてはアクリル樹脂に限られず、ガラス等でもよい。
【００３２】
また、レンズ枠５の材質としてはポリカーボネイト樹脂に限られず、ＡＢＳ樹脂等でもよい。
【００３３】
また、レンズ嵌込み工程の前に加熱工程が行われるのが好ましいが、必ずしも加熱工程を行う必要はない。
【００３４】
【発明の効果】
以上説明したようにこの発明のルーペによれば、傷付く範囲を極めて小さくすることができる。
【図面の簡単な説明】
【図１】図１はこの発明の一実施形態に係るルーペの正面図である。
【図２】図２は図１の　ＩＩ−ＩＩ線に沿う断面図である。
【符号の説明】
３　レンズ
５　レンズ枠
３１　外周面
３２，３３，３４　突起部
５１　ホルダ部
５３　内周面
５４，５５，５６　窪み
５７　ホルダ端面
５８　稜角
５９　斜面
【図１】
2004029371.tif 000003
【図２】
2004029371.tif 000004